【手続補正書】
【提出日】令和2年2月6日(2020.2.6)
【手続補正１】
【補正対象書類名】特許請求の範囲
【補正対象項目名】全文
【補正方法】変更
【補正の内容】
【特許請求の範囲】
【請求項１】
光走査装置であって、
第１の感光体を露光するための第１のレーザー光を出射する第１の光源と、
第２の感光体を露光するための第２のレーザー光を出射する第２の光源と、
複数の反射面を有し、回転駆動される回転多面鏡であって、前記複数の反射面によって前記第１の光源から出射された前記第１のレーザー光が前記第１の感光体を走査するように前記第１のレーザー光を偏向し、前記複数の反射面によって前記第２の光源から出射された前記第２のレーザー光が前記第２の感光体を走査するように前記第２のレーザー光を偏向する回転多面鏡と、
前記回転多面鏡により偏向された前記第１のレーザー光を受光することによって、前記第１のレーザー光の走査周期における画像データに基づく前記第１の光源が出射する前記第１のレーザー光の出射タイミングと前記第２の光源が出射する前記第２のレーザー光の出射タイミングとを決定するための同期信号を生成する受光部と、
前記回転多面鏡を収容する筐体と、
前記第１の光源及び前記第２の光源と前記回転多面鏡との間において前記筐体に設けられた立設部と、
を備え、
前記第１の光源及び前記第２の光源は、
前記回転多面鏡の回転軸線に直交し、前記複数の反射面と交差する仮想平面に対して互いに反対側に配置され、
かつ、
前記第１のレーザー光と前記第２のレーザー光とが同一反射面に入射し、前記反射面に入射する前記第１のレーザー光の光束の中心軸線と前記仮想平面とが０度より大きい角度をなし、前記第２のレーザー光の光束の中心軸線と前記仮想平面とが０度より大きい角度をなし、更に、前記回転軸線上から前記反射面に入射する前記第１のレーザー光の光束の中心軸線と前記第２のレーザー光の光束の中心軸線を見たときに前記第１のレーザー光の光束の中心軸線と前記第２のレーザー光の光束の中心軸線とが０度より大きい角度をなすように前記光走査装置に配置されており、
前記立設部には、前記第１の光源から出射されて前記回転多面鏡に向かう前記第１のレーザー光の一部と前記第１の光源から出射されて前記回転多面鏡により偏向された前記第１のレーザー光とを通過させる第１の開口と、前記第２の光源から出射されて前記回転多面鏡に向かう前記第２のレーザー光の一部を通過させる第２の開口と、が設けられ、
前記受光部には前記回転多面鏡によって偏向されて前記第１の開口を通過した前記第１のレーザー光が入射することを特徴とする光走査装置。
【請求項２】
前記筐体は、前記回転多面鏡が設置される底面と、前記底面から立設し前記第１の光源と前記第２の光源とが取り付けられる側壁面と、を有し、
前記第１の光源は、前記回転軸線の方向において、前記第２の光源よりも前記筐体の底面側に設けられており、
前記受光部は、前記回転軸線の方向において、前記第１の光源の真上に配置されていることを特徴とする請求項１に記載の光走査装置。
【請求項３】
前記第１の光源と前記受光部は、同一の回路基板に実装されていることを特徴とする請
求項２に記載の光走査装置。
【請求項４】
前記第２の光源は、前記回路基板に実装されていることを特徴とする請求項３に記載の
光走査装置。
【請求項５】
前記第１の開口は、前記回転多面鏡により反射され前記受光部に向かう前記第１のレーザー光が通過する領域の当該第１のレーザー光の走査方向の幅が、前記第１の光源から出射され前記回転多面鏡に向かう前記第１のレーザー光が通過する領域の前記走査方向の幅よりも広いことを特徴とする請求項１から請求項４のいずれか１項に記載の光走査装置。
【請求項６】
前記立設部は、前記筐体と一体的に形成されていることを特徴とする請求項２から請求項５のいずれか１項に記載の光走査装置。
【請求項７】
前記立設部は、前記第１の光源から出射されて前記反射面に入射する前記第１のレーザー光の光束の中心軸線と前記仮想平面とがなす角度及び前記第２の光源から出射されて前記反射面に入射する前記第２のレーザー光の光束の中心軸線と前記仮想平面とがなす角度をα、前記第１の光源から出射される前記第１のレーザー光の光束の中心軸線と前記第２の光源から出射される前記第１のレーザー光の光束の中心軸線とがなす角度をβとすると、
２×α＜β
の関係となるように、前記筐体に形成されることを特徴とする請求項６に記載の光走査装置。
【請求項８】
前記第１の光源から出射された前記第１のレーザー光を前記回転多面鏡の反射面上に集光させるシリンドリカルレンズを備え、
前記回転多面鏡により反射され前記受光部に向かう前記第１のレーザー光は、前記シリンドリカルレンズを通過して前記受光部に入射されることを特徴とする請求項１から請求項７のいずれか１項に記載の光走査装置。
【請求項９】
前記第１の光源及び前記第２の光源は、複数の発光点を有することを特徴とする請求項１から請求項８のいずれか１項に記載の光走査装置。
【請求項１０】
光走査装置であって、
第１の感光体を露光するための第１のレーザー光を出射する第１の光源と、
第２の感光体を露光するための第２のレーザー光を出射する第２の光源と、
複数の反射面を有し、回転駆動される回転多面鏡であって、前記複数の反射面によって前記第１の光源から出射された前記第１のレーザー光が前記第１の感光体を走査するように前記第１のレーザー光を偏向し、前記複数の反射面によって前記第２の光源から出射された前記第２のレーザー光が前記第２の感光体を走査するように前記第２のレーザー光を偏向する回転多面鏡と、
前記回転多面鏡により偏向された前記第１のレーザー光を受光することによって、前記第１のレーザー光の走査周期における画像データに基づく前記第１の光源が出射する前記第１のレーザー光の出射タイミングと前記第２の光源が出射する前記第２のレーザー光の出射タイミングとを決定するための同期信号を生成する受光部と、
前記回転多面鏡を収容する筐体と、
前記筐体に設けられ、前記第１の光源から出射されて前記回転多面鏡に向かう前記第１のレーザー光と前記回転多面鏡により偏向されて前記受光部に向かう前記第１のレーザー光との両方が通過する１つの開口が形成された開口部と、
前記１つの開口に設けられ、前記第１の光源から出射されて前記回転多面鏡に向かう前記第１のレーザー光に対する絞りと、
を備えることを特徴とする光走査装置。
【請求項１１】
前記１つの開口は前記第１のレーザー光が前記第１の感光体を走査する方向に対応する方向において前記１つの開口に入射する前記第１のレーザー光の両側の部分を遮ることを特徴とする請求項１０に記載の光走査装置。
【請求項１２】
前記開口部は前記第２の光源から出射されて前記回転多面鏡に向かう前記第２のレーザー光が通過し、前記１つの開口とは異なる第２の開口を更に有し、
前記第２の開口は前記第２のレーザー光が前記第２の感光体を走査する方向に対応する方向において前記第２の開口に入射する前記第２のレーザー光の両側の部分を遮ることを特徴とする請求項１０又は請求項１１に記載の光走査装置。
【請求項１３】
前記筐体は、前記回転多面鏡が設置される底面と、前記底面から立設し前記第１の光源と前記第２の光源とが取り付けられる側壁面と、を有し、
前記第１の光源及び前記第２の光源は、
前記第１のレーザー光と前記第２のレーザー光とが、前記回転多面鏡の回転軸線に直交し前記複数の反射面と交差する仮想平面に対して互いに角度をなして前記反射面に入射するように、前記仮想平面に関して互いに反対側に配置され、
かつ、
前記第１の光源から出射されて前記回転多面鏡に向かう前記第１のレーザー光の光路と前記第２の光源から出射されて前記回転多面鏡に向かう前記第２のレーザー光の光路とを前記回転軸線の方向において前記回転多面鏡よりも上方から見たときに、前記第１のレーザー光の光路と前記第２のレーザー光の光路とのなす角は０より大きい角度であることを特徴とする請求項１０から請求項１２のいずれか1項に記載の光走査装置。
【請求項１４】
前記第１の光源と前記受光部は、同一の回路基板に実装されていることを特徴とする請求項１０から請求項１３のいずれか１項に記載の光走査装置。
【請求項１５】
前記第２の光源は、前記回路基板に実装されていることを特徴とする請求項１４に記載の光走査装置。
【請求項１６】
前記１つの開口は、前記回転多面鏡により反射され前記受光部に向かう前記第１のレーザー光が通過する領域の当該第１のレーザー光の走査方向の幅が、前記第１の光源から出射され前記回転多面鏡に向かう前記第１のレーザー光が通過する領域の前記走査方向の幅よりも広いことを特徴とする請求項１０から請求項１５のいずれか１項に記載の光走査装置。
【請求項１７】
請求項１から請求項１６のいずれか１項に記載の光走査装置と、
前記第１の光源から出射された前記第１のレーザー光により潜像が形成される前記第１の感光体と、
前記第２の光源から出射された前記第２のレーザー光により潜像が形成される前記第２の感光体と、
前記第１の感光体に形成された潜像をトナーにより現像しトナー像を形成する第１の現
像手段と、
前記第２の感光体に形成された潜像をトナーにより現像しトナー像を形成する第２の現
像手段と、
前記第１の現像手段により形成されたトナー像を被転写体に転写する第１の転写手段と、
前記第２の現像手段により形成されたトナー像を被転写体に転写する第２の転写手段と、
を備えることを特徴とする画像形成装置。
【手続補正２】
【補正対象書類名】明細書
【補正対象項目名】０００９
【補正方法】変更
【補正の内容】
【０００９】
（１）光走査装置であって、第１の感光体を露光するための第１のレーザー光を出射する第１の光源と、第２の感光体を露光するための第２のレーザー光を出射する第２の光源と、複数の反射面を有し、回転駆動される回転多面鏡であって、前記複数の反射面によって前記第１の光源から出射された前記第１のレーザー光が前記第１の感光体を走査するように前記第１のレーザー光を偏向し、前記複数の反射面によって前記第２の光源から出射された前記第２のレーザー光が前記第２の感光体を走査するように前記第２のレーザー光を偏向する回転多面鏡と、前記回転多面鏡により偏向された前記第１のレーザー光を受光することによって、前記第１のレーザー光の走査周期における画像データに基づく前記第１の光源が出射する前記第１のレーザー光の出射タイミングと前記第２の光源が出射する前記第２のレーザー光の出射タイミングとを決定するための同期信号を生成する受光部と、前記回転多面鏡を収容する筐体と、前記第１の光源及び前記第２の光源と前記回転多面鏡との間において前記筐体に設けられた立設部と、を備え、前記第１の光源及び前記第２の光源は、前記回転多面鏡の回転軸線に直交し、前記複数の反射面と交差する仮想平面に対して互いに反対側に配置され、かつ、前記第１のレーザー光と前記第２のレーザー光とが同一反射面に入射し、前記反射面に入射する前記第１のレーザー光の光束の中心軸線と前記仮想平面とが０度より大きい角度をなし、前記第２のレーザー光の光束の中心軸線と前記仮想平面とが０度より大きい角度をなし、更に、前記回転軸線上から前記反射面に入射する前記第１のレーザー光の光束の中心軸線と前記第２のレーザー光の光束の中心軸線を見たときに前記第１のレーザー光の光束の中心軸線と前記第２のレーザー光の光束の中心軸線とが０度より大きい角度をなすように前記光走査装置に配置されており、前記立設部には、前記第１の光源から出射されて前記回転多面鏡に向かう前記第１のレーザー光の一部と前記第１の光源から出射されて前記回転多面鏡により偏向された前記第１のレーザー光とを通過させる第１の開口と、前記第２の光源から出射されて前記回転多面鏡に向かう前記第２のレーザー光の一部を通過させる第２の開口と、が設けられ、前記受光部には前記回転多面鏡によって偏向されて前記第１の開口を通過した前記第１のレーザー光が入射することを特徴とする光走査装置。
（２）光走査装置であって、第１の感光体を露光するための第１のレーザー光を出射する第１の光源と、第２の感光体を露光するための第２のレーザー光を出射する第２の光源と、複数の反射面を有し、回転駆動される回転多面鏡であって、前記複数の反射面によって前記第１の光源から出射された前記第１のレーザー光が前記第１の感光体を走査するように前記第１のレーザー光を偏向し、前記複数の反射面によって前記第２の光源から出射された前記第２のレーザー光が前記第２の感光体を走査するように前記第２のレーザー光を偏向する回転多面鏡と、前記回転多面鏡により偏向された前記第１のレーザー光を受光することによって、前記第１のレーザー光の走査周期における画像データに基づく前記第１の光源が出射する前記第１のレーザー光の出射タイミングと前記第２の光源が出射する前記第２のレーザー光の出射タイミングとを決定するための同期信号を生成する受光部と、前記回転多面鏡を収容する筐体と、前記筐体に設けられ、前記第１の光源から出射されて前記回転多面鏡に向かう前記第１のレーザー光と前記回転多面鏡により偏向されて前記受光部に向かう前記第１のレーザー光との両方が通過する１つの開口が形成された開口部と、前記１つの開口に設けられ、前記第１の光源から出射されて前記回転多面鏡に向かう前記第１のレーザー光に対する絞りと、を備えることを特徴とする光走査装置。
（３）前記（１）又は前記（２）に記載の光走査装置と、前記第１の光源から出射された前記第１のレーザー光により潜像が形成される前記第１の感光体と、前記第２の光源から出射された前記第２のレーザー光により潜像が形成される前記第２の感光体と、前記第１の感光体に形成された潜像をトナーにより現像しトナー像を形成する第１の現像手段と、前記第２の感光体に形成された潜像をトナーにより現像しトナー像を形成する第２の現像手段と、前記第１の現像手段により形成されたトナー像を被転写体に転写する第１の転写手段と、前記第２の現像手段により形成されたトナー像を被転写体に転写する第２の転写手段と、を備えることを特徴とする画像形成装置。
【手続補正３】
【補正対象書類名】明細書
【補正対象項目名】００１０
【補正方法】削除
【補正の内容】